(57)【要約】      （修正有）【課題】作業台上空域の任意の中空位置に作業の手を比較的長時間静止状態に維持させることができ、その指先を用いて微細な作業をも容易にさせることができる作業手支持装置の提供。【解決手段】手を載せる手置部と、載せた手の指が絡む手掛部とを一体的に構成する。又、手置部は後述の棒状部材に較べて相対的に径の大きな円台状部材であり、手掛部は円台より相対的に径の小さな棒状部材であって、棒状部材は円台状部材の台面から鉛直方向に突設する。又、棒状部材の軸が円台状部材の軸に対して偏心位置に在る。又、手置部を作業台の上空域において自在に位置させる自在支持手段を備える。【選択図】図１
0003135989.tif 000002
【実用新案登録請求の範囲】
【請求項１】
手を載せる手置部と、載せた手の指が絡む手掛部とが一体的に構成されたことを特徴とする作業手支持装置。
【請求項２】
手置部は後述の棒状部材に較べて相対的に径の大きな円台状部材であり、手掛部は前記円台より相対的に径の小さな棒状部材であって、前記棒状部材は前記円台状部材の台面から鉛直方向に突設されたことを特徴とする請求項１に記載の作業手支持装置。
【請求項３】
棒状部材の軸が円台状部材の軸に対して偏心位置に在ることを特徴とする請求項２に記載の作業手支持装置。
【請求項４】
手置部を作業台の上空域において自在に位置させる自在支持手段を備えたことを特徴とする請求項１乃至請求項３の何れかに記載の作業手支持装置。
【請求項５】
自在支持手段は、軸回転自在な垂直支持軸と、前記垂直支持軸に直交する第１の水平回転支持軸と、前記第１の水平回転支持軸に直交する第２の水平回転支持軸とを備えたことを特徴とする請求項４に記載の作業手支持装置。
【請求項６】
自在支持手段は、当該自在支持手段を作業台面上の任意の位置に着脱自在に設置できるマグネット部を備えたことを特徴とする請求項４又は請求項５に記載の作業手支持装置。
【請求項７】
マグネット部は電磁マグネットであることを特徴とする請求項６に記載の作業手支持装置。
【請求項８】
作業手支持装置は手動溶接機に装置されることを特徴とする請求項１乃至請求項７の何れかに記載の作業手支持装置。
【考案の詳細な説明】
【技術分野】
【０００１】
本考案は、作業台上空域の任意の中空位置に作業の手を比較的長時間静止状態に維持させた状態でその指先を用いて何らかの作業する際に用いる作業手支持装置に関する。
【背景技術】
【０００２】
従来、例えば、図４に示すように、レーザ溶接機１００の作業台１０１に被加工物Ｗを載せて、レーザ照射部１０２から被加工物Ｗの所定部位に向けて照射されるレーザ光に、手にした溶接用線状材料１０３の先端部を当てて溶融させながら肉盛や溶接（以下、単に溶接という）加工を施す際、作業台１０１の上空域の任意の中空に溶接用線状材料１０３を操作する作業の手（以下、作業手ともいう）を所望の中空に静止状態に維持させる必要があった。
尚、図中の符号１０は本考案に係る作業手支持装置である。又、符号１０５は作業台１０１上のターンテーブル、１０６は雰囲気ガス発射ノズルである。
【０００３】
然しながら、従来、このような、作業台上空域の任意の中空に作業の手を維持させた状態でその指先を用いて何らかの作業する際に用いるための適当な装置が提供されていなかったため、この種作業においては、特に、微細な溶接作業の際には、作業手を微妙な中空位置に常時静止させておかねばならないため、熟練を要し、しかも、長時間にわたる連続作業をするに適さないため、生産性向上に大きな難点があった。
【考案の開示】
【考案が解決しようとする課題】
【０００４】
本考案は、上記のような難点や課題の解決を目的として成されたもので、作業台上空域の任意の中空位置に作業の手を比較的長時間静止状態に維持させることができ、その指先を用いて微細な作業をも容易させることができる作業手支持装置の提供を目的とする。
【課題を解決するための手段】
【０００５】
請求項１の作業手支持装置の考案は、手を載せる手置部と、載せた手の指が絡む手掛部とが一体的に構成されたことを特徴とする。
【０００６】
請求項２の考案は、請求項１に記載の作業手支持装置において、手置部は後述の棒状部材に較べて相対的に径の大きな円台状部材であり、手掛部は前記円台より相対的に径の小さな棒状部材であって、前記棒状部材は前記円台状部材の台面から鉛直方向に突設されたことを特徴とする。
【０００７】
請求項３の考案は、請求項２に記載の作業手支持装置において、棒状部材の軸が円台状部材の軸に対して偏心位置に在ることを特徴とする。
【０００８】
請求項４の考案は、請求項１乃至請求項３の何れかに記載の作業手支持装置において、手置部を作業台の上空域において自在に位置させる自在支持手段を備えたことを特徴とする。
【０００９】
請求項５の考案は、請求項４に記載の作業手支持装置において、自在支持手段は、軸回転自在な垂直支持軸と、前記垂直支持軸に直交する第１の水平回転支持軸と、前記第１の水平回転支持軸に直交する第２の水平回転支持軸とを備えたことを特徴とする。
【００１０】
請求項６の考案は、請求項４又は請求項５に記載の作業手支持装置において、自在支持手段は当該自在支持手段を作業台面上の任意の位置に着脱自在に設置できるマグネット部を備えたことを特徴とする。
【００１１】
請求項７の考案は、請求項６に記載の作業手支持装置において、マグネット部は電磁マグネットであることを特徴とする。
【００１２】
請求項８の考案は、請求項１乃至請求項７の何れかに記載の作業手支持装置は手動溶接機に装置されることを特徴とする。
【考案の効果】
【００１３】
請求項１乃至請求項８の各考案によれば、何れも、作業手支持装置の手置部及び手掛部を作業台上空域の任意の中空位置に予め設定させて置くことによって、作業の手をその手置部に載せ、載せた手の例えば小指や薬指を手掛部に絡ませながら、残る親指と人差し指と中指等の指先操作にて微細な作業をも極めて容易に、しかも、比較的長時間にわたって作業手を静止状態に維持させたままで、行うことができる。
【００１４】
請求項２や請求項３の考案によれば、何れも、手掛部に指を絡ませた作業手を安全且つ確実に手置部上に載せおくことができる。
【００１５】
請求項４や請求項５の考案によれば、何れも、手置部及び手掛部を作業台面上の任意の中空位置に自在に設定することができる。
【００１６】
請求項６や請求項７の考案によれば、何れも、必要に応じて作業台上に作業手支持装置を設置することができ、無用の際には作業台面上を開放しておくことができる。
【００１７】
請求項８の考案によれば、微細な溶接作業の際に、熟練を要しせずして、作業手を微妙な中空位置に常時静止させておくことができ、しかも、長時間にわたる連続作業をすることができるため、従来に較べて溶接作業の生産性を著しく向上させることができる。
【考案を実施するための最良の形態】
【００１８】
以下、この本考案を、手動溶接用のレーザー溶接装置に用いる作業手支持装置を例に、図1乃至図４に基づいてして説明する。
図１は作業手支持装置の斜視図、図２は平面図、図３は部分拡大正面図、図４は使用状態を示す説明図である。
【実施例】
【００１９】
図1及び図２において、図中の符号１は作業者が作業手を載せる載置部であり、２は手掛部であって、載置部1上に載せられた作業手の指、例えば小指や薬指が容易に絡み易いように、前記手置部１から一体的に突出形成されている。
【００２０】
図示の例では、手置部１が円台状部材（後述の棒状部材に較べて相対的に大径）で、手掛部２は前記円台の径より小さな棒状部材での大きな円台状部材であり、棒状部材の手掛部２が円台状部材の手置部１の台面から鉛直方向に突設されている。
【００２１】
しかも、図２からもよく分るように、指が絡む棒状部材２の軸は掌側が置かれる円台状部材の中心軸に対して、同図において右側に偏心して配置されており、作業者の右手同図の右側から安定して手置部1及び手掛部２に置かれるように構成されている。
【００２２】
図1、図２及び図４において、この実施例では、上記の手置部１及び手掛部２を作業台の上空域において自在に位置させることができるように、作業台１０１の台面上に垂直に立設される軸回転自在な垂直支持軸３１と、この垂直支持軸３１に直交する第１の水平回転支持軸３２と、更にこの第１の水平回転支持軸３２と直交する第２の水平回転支持軸３３とを有する自在支持手段３０を備えている。
【００２３】
図１及び図３において、更に、この自在支持手段３０は、垂直支持軸３１がマグネット部３４に抜き差し自在に植設されており、当該マグネット部３４の磁力によって当該自在支持手段３０が作業台１０１面上に、着脱自在に安定固定されると共に、台面上の任意の位置に移動自在に設置できるよう構成されている。
【００２４】
更に又、この実施例では上記マグネット部３４を永久磁石ではなく電磁マグネットで構成することによって、電気的スイッチ３５のＯＮ／ＯＦＦ操作により、必要に応じて、磁力を発生（励磁）させ或いは消磁させたりすることができる。
これにより、作業位置を選択する際には消磁させておき、作業位置が定まると励磁させることによって、自在支持手段３０即ち作業支持装置を容易に移動させることができ、且つ、所定位置が決定するとそこに不動に固定させることができる。
【産業上の利用可能性】
【００２５】
本考案は、レザー溶接機用の作業手支持装置について説明したが、これに限らず、作業台上空域の任意の中空位置に作業の手を静止状態に維持させる必要がある手動作業に係る装置において広く利用することができる。
【図面の簡単な説明】
【００２６】
【図１】作業手支持装置の斜視図である。
【図２】平面図である。
【図３】部分拡大正面図である。
【図４】使用状態を示す説明図である。
【符号の説明】
【００２７】
１    手置部（作業手支持装置）
２    手掛部（作業手支持装置）
１０  作業手支持装置
３０  自在支持手段（自在支持手段）
３１  垂直回転軸（自在支持手段）
３２  第１の水平回転軸（自在支持手段）
３３  第２の水平回転軸（自在支持手段）
３４  マグネット部
３５  スイッチ
【図１】
0003135989.tif 000003
【図２】
0003135989.tif 000004
【図３】
0003135989.tif 000005
【図４】
0003135989.tif 000006